(57)【要約】【課題】カロートにガラス製の部材を用いてそのデザイン性を高めつつ、さらに、ガラス本来の良さを活かすことができる墓石を提供すること。【解決手段】墓石１は、カロート５の前部の少なくとも一部を構成すると共に模様又は色彩を有するガラス製の蓋石７と、カロート５の内部から蓋石７を透過させる光を確保する光確保手段２０と、を備えた。【選択図】図４
2013253383.tif 000002
【特許請求の範囲】
【請求項１】
カロートの前部の少なくとも一部を構成すると共に、模様又は色彩を有するガラス製の蓋石と、
前記カロートの内部から前記蓋石を透過させる光を確保する光確保手段と、を備えた、墓石。
【請求項２】
前記光確保手段は、
前記蓋石よりも後方の位置において、前記カロートに形成された開口部と、
前記開口部に設けられ、前記カロートの内部へと自然光が入射するように構成された透光性部材と、を備えている、請求項１に記載の墓石。
【請求項３】
前記開口部は、前記カロートの上部の少なくとも一部を構成する拝石に形成されている、請求項２に記載の墓石。
【請求項４】
前記開口部は、下方に向かって末広がりとなる部分を有する、請求項３に記載の墓石。
【請求項５】
前記拝石の上面に載置される香炉を備えており、
前記光確保手段は、前記香炉の後側に設けられている、請求項３又は４に記載の墓石。
【請求項６】
前記開口部は、前記カロートの側部を構成する根石に形成されている、請求項２に記載の墓石。
【請求項７】
前記光確保手段は、前記カロートの内部へと入射する自然光が前記蓋石に向かって指向されるように形成されている、請求項２ないし６のいずれか一項に記載の墓石。
【請求項８】
前記カロートの内部は、閉じられた空間であり、
前記光確保手段は、前記カロートの内部へと光を照射するＬＥＤを備えている、請求項１に記載の墓石。
【請求項９】
前記ＬＥＤは、前記蓋石の小口に光が当たるように光を照射する、請求項８に記載の墓石。
【請求項１０】
カロートの前部の少なくとも一部を構成する蓋石を備え、
前記蓋石は、ガラス製からなり、後方からの光が透過する模様又は色彩を有している、墓石。
【発明の詳細な説明】
【技術分野】
【０００１】
本発明は、墓石に関するものである。
【背景技術】
【０００２】
一般に、墓石のカロート（納骨室）は、石材又はコンクリートで形成されており、その内部の空間は、自然光が入射しないために暗所となっている。
特許文献１〜３では、暗所のカロート内部に自然光を取り込むために、カロートを構成する壁、あるいは、中台や芝台の一部にガラスブロックを使用することを提案している。このような墓石によれば、自然光がガラスブロックを通してカロート内へと入射するため、カロートの内部を明るくすることが可能となる。
【先行技術文献】
【特許文献】
【０００３】
【特許文献１】実用新案登録第３１０６２８６号
【特許文献２】実用新案登録第３１２１７１６号
【特許文献３】実用新案登録第３１５８２７７号
【発明の概要】
【発明が解決しようとする課題】
【０００４】
しかし、従来の墓石では、ガラスブロックに模様又は色彩があったとしても、人の目には模様又は色彩が十分に認識されなかった。これは、ガラスが透光性を有するものであるため、人が自然光と同じ側からガラスブロックを見ても、人の目には模様又は色彩が十分には明るく映らないからである。
【０００５】
そこで、本発明は、カロートにガラス製の部材を用いてそのデザイン性を高めつつ、さらに、ガラス本来の良さを活かすことができる墓石を提供することをその目的としている。
【課題を解決するための手段】
【０００６】
上記目的を達成するため、本発明の墓石は、カロートの前部の少なくとも一部を構成すると共に模様又は色彩を有するガラス製の蓋石と、カロートの内部から蓋石を透過させる光を確保する光確保手段と、を備えたものである。
【０００７】
本発明によれば、カロートの蓋石をガラス製としているので、石材又はコンクリートのみからなるカロートと比較して、墓石のデザイン性を高めることができる。しかも、ガラス製の蓋石はカロートの前部の少なくとも一部を構成するものであるため、墓石の前にくる人に見え易いものとなり、墓石のデザイン性の高さをよりアピールすることができる。また、自然光がガラス製の蓋石を通ってカロート内部に入射するため、暗所になりがちなカロート内部に明るさを提供することができる。加えて、光確保手段によってカロート内部からの光が蓋石を透過するため、蓋石の模様や色彩を人の目に明るく映しだすことができる。これにより、蓋石のガラス本来の良さを活かすことができる。なお、模様は、文字（例えば戒名を表す文字）を含む概念である。
【０００８】
好ましい一態様によれば、光確保手段は、蓋石よりも後方の位置においてカロートに形成された開口部と、開口部に設けられ、カロートの内部へと自然光が入射するように構成された透光性部材と、を備えている。
【０００９】
かかる構成によれば、蓋石とは別に、蓋石の後側に自然光がもたらされるので、カロートの内部から蓋石を透過させる光が確保される。これにより、ガラス製の蓋石をカロート内部から明るくするための明り取りをカロートに設けることができる。また、明り取りを開口部のみで構成した場合には、雨、ほこり、砂などがカロート内部に浸入し得るが、それを透光性部材によって防止することができる。
【００１０】
好ましくは、開口部は、カロートの上部の少なくとも一部を構成する拝石に形成されているとよい。
【００１１】
この構成によれば、拝石を有効に利用して光確保手段を設けることができる。また、上方から自然光を取り込むため、墓地で墓石が密集配置される場合であっても、隣の墓石によって太陽光を遮られることなく、カロート内部に取り込むことができる。
【００１２】
より好ましくは、開口部は、下方に向かって末広がりとなる部分を有するとよい。
【００１３】
こうすることで、自然光がカロート内部に向けて拡散するように取り込まれるようになるため、カロートの内部から蓋石を透過し得る光の量を増やすことができる。これにより、蓋石の模様や色彩を人の目により一層明るく映し出すことができる。
【００１４】
これらの場合、墓石は、拝石の上面に載置される香炉を備えており、光確保手段は、香炉の後側に設けられるとよい。
【００１５】
こうすることで、墓石の前方から見たときに、光確保手段が香炉によって隠れるようになるため、拝石の明り取りの存在を目立たせないようにすることができる。
【００１６】
別の好ましい一態様によれば、開口部は、カロートの側部を構成する根石に形成されるとよい。
【００１７】
この構成によれば、根石を有効に利用して光確保手段を設けることができる。
【００１８】
好ましくは、光確保手段は、カロートの内部へと入射する自然光が蓋石に向かって指向されるように形成されているとよい。
【００１９】
こうすることで、カロートの内部から蓋石を透過する光の量が増えるため、蓋石の模様等を人の目により一層明るく映し出すことができる。
【００２０】
また別の好ましい一態様によれば、カロートの内部は、閉じられた空間であり、光確保手段は、カロートの内部へと光を照射するＬＥＤを備えている。
【００２１】
かかる構成によれば、カロート内部を閉空間としつつも、光源としてのＬＥＤを用いてガラス製の蓋石をカロート内部から明るくすることができる。なお、ＬＥＤに電力を供給する電源は、乾電池やボタン電池を用いることもできるが、太陽光発電を利用したソーラーパネルを用いることもできる。
【００２２】
好ましくは、ＬＥＤは、蓋石の小口に光が当たるように光を照射するとよい。
【００２３】
こうすることで、ガラス製の蓋石に対してＬＥＤが間接照明のように機能するため、蓋石の模様や色彩をより一層見栄えよく人の目に見えさせることができる。
【００２４】
より好ましくは、墓石は、カロートの前部下部に蓋石が載置される階段を備えており、ＬＥＤは、階段に埋め込まれているとよい。
【００２５】
こうすることで、階段を有効に利用して、蓋石の小口にＬＥＤ光を当てることができる。
【００２６】
上記目的を達成するための本発明の別の墓石は、カロートの前部の少なくとも一部を構成する蓋石を備え、蓋石は、ガラス製からなり、後方からの光が透過する模様又は色彩を有しているものである。
【図面の簡単な説明】
【００２７】
【図１】実施形態に係る墓石を示す斜視図である。
【図２】図１の墓石の蓋石の斜視図である。
【図３】図１の墓石の左側の根石の斜視図である。
【図４】図１の墓石に、実施形態に係る横からの明り取りタイプの光確保手段を設けた図であり、（ａ）は斜視図、（ｂ）は右側面図、（ｃ）は光確保手段まわりの断面図である。
【図５】図１の墓石に、他の実施態様に係る横からの明り取りタイプの光確保手段を設けた図であり、（ａ）は斜視図、（ｂ）は正面図、（ｃ）は右側面図である。
【図６】図１の墓石に、別の実施態様に係る横からの明り取りタイプの光確保手段を複数設けた図であり、（ａ）は斜視図、（ｂ）は正面図、（ｃ）は右側面図である。
【図７】図１の墓石に、また別の実施態様に係る横からの明り取りタイプの光確保手段を複数設けた図であり、（ａ）は斜視図、（ｂ）は正面図、（ｃ）は右側面図である。
【図８】図１の墓石に、実施形態に係る上からの明り取りタイプの光確保手段を設けた平面図である。
【図９】図８の光確保手段を拝石とともに示す斜視図である。
【図１０】他の実施態様に係る上からの明り取りタイプの光確保手段を拝石とともに示す斜視図である。
【図１１】別の実施態様に係る上からの明り取りタイプの光確保手段を拝石とともに示す斜視図である。
【図１２】また別の実施態様に係る上からの明り取りタイプの光確保手段を拝石とともに示す斜視図である。
【図１３】他の実施態様に係る上からの明り取りタイプの光確保手段を拝石とともに示す図であり、（ａ）は斜視図、（ｂ）は断面図である。
【図１４】別の実施態様に係る上からの明り取りタイプの光確保手段を拝石とともに示す図であり、（ａ）は斜視図、（ｂ）は断面図である。
【図１５】図１の墓石の階段に、実施形態に係るＬＥＤタイプの光確保手段を設けた斜視図である。
【図１６】蓋石に嵌める緩衝材を示す図であり、（ａ）は緩衝材を蓋石から分離させた斜視図、（ｂ）は緩衝材を蓋石に取り付けた状態を示す平面図である。
【図１７】図１６の緩衝材とは別の緩衝材を蓋石に取り付けた状態を示す平面図である。
【発明を実施するための形態】
【００２８】
上記の添付図面を参照して、本発明の好適な実施形態に墓石について説明する。
【００２９】
図１に示すように、墓石１は、棹石２と、棹石２を載せた上台３と、上台３を載せた中台４と、中台４を載せたカロート５と、を備えている。カロート５は、左右の両側部が根石６，６によって構成され、前部が板状の蓋石７及びブロック状の階段８によって構成され、後部が根石によって構成され、上部が拝石１０及び天板１１によって構成されている。カロート５のうち、地上に設置される左右の根石６，６，階段８及び後の根石と、階段８上に載置される蓋石７とによって、上部を開放した納骨用空間がカロート５内部に区画形成される。また、上部を開放した納骨用空間は、根石６，６の前側上部に載置された薄板状の拝石１０と、根石６，６の後側上部に載置された厚板状の天板１１によって閉塞される。拝石１０の上面には、香炉１２が載置される一方、天板１１の上面には中台４が載置され、その上に、上台３及び棹石２が順番に載置されている。
【００３０】
墓石１を構成する部材は、ガラス製の蓋石７を除き、石材で形成されている。石材の種類としては、各種のものを用いることができ、例えば御影石と呼ばれる花崗岩や、安山岩、閃緑岩が好適に用いられる。蓋石７は、板状部材（参照：図２）からなり、模様及び色彩の少なくとも一方が入れられている。模様は、動物の絵や十字架のほか、戒名を示す文字など、任意の模様を用いることができる。色彩は、１色に限らず、こちらも任意の色彩を用いる。蓋石７を形成するガラスの種類は、特に限定されるものではなく、フロート板ガラス、型板ガラス、すりガラス、編入板ガラス、ステンドグラス、キャストガラス、キセガラスなど、各種のものを用いることができる。蓋石７をこのようなガラス製とすることで、石材又はコンクリートのみからなるカロートと比較して、墓石１のデザイン性を高めることができる。また、自然光がガラス製の蓋石７を通ってカロート５の内部に入射するため、暗所な納骨用空間に明るさを提供することができる。
【００３１】
根石６，６は、左右対称に板状に形成されている。図３は、左側の根石６を示す斜視図であり、その根石６の後側内壁面には、後の根石の端部が突き当てられる切欠き１３が形成されている。また、根石６の前側内壁面には、蓋石７の端部が装着される縦溝１４が形成されている。縦溝１４は、平面視、コ字状に形成されており、上下方向に延在している。蓋石７の左右両端部は、左右の根石６，６のそれぞれの縦溝１４に上側から落とし込まれるようにして装着されて、保持される。蓋石７が縦溝１４内でガタツクことを防止するために、両者を接着剤を用いて固定してもよいし、あるいは、両者の間にゴムシートなどのクッション材をかましてもよい。クッション材としては、例えば、蓋石７の四隅に嵌める緩衝材１５，１５，１５，１５（参照：図１６）を用いればよい。このような緩衝材１５は、例えばアクリルからなり、蓋石７を厚み方向に嵌め込むための断面コ字状の溝１６を有すればよい。また、蓋石７の四隅ではなく、四辺に嵌めるアクリル製の緩衝材１７，１７，１７，１７（参照：図１７）を用いてもよい。この場合、緩衝材１７は、蓋石７を厚み方向に嵌め込むように断面コ字状に形成され、その両端部が隣の緩衝材１７の端部と召し合わされるように斜めに形成されるとよい。なお、蓋石７は、上述の落とし込みタイプに限らず、前蓋タイプであってもよい。
【００３２】
ここで、カロート５には、蓋石７のもつガラス本来の良さを活かすために、カロート５の内部から蓋石７を透過させる光を確保する光確保手段２０（参照：図４〜１５）が設けられている。光確保手段２０は、蓋石７とは別のところ（換言すると、前方以外の方向）からカロート５の内部に光を確保するように構成されているものである。このような光確保手段２０としては、カロート５の上部、左側部、右側部又は後部の一部を開口して自然光を導く構成のほか、カロート５の内部は閉じた空間としておいて光源を設置する構成が考えられる。しかし、カロート５の後部の一部を開口する構成の場合には、カロート５の内部に収められる骨壷が蓋石７への光（カロート５の後方から前方へと内部に取り込まれる光）を遮ってしまう可能性がある。
【００３３】
したがって、光確保手段２０としては、（１）カロート５の左右の側部から自然光を導く構成、（２）カロート５の上部から自然光を導く構成、（３）カロート５の内部は閉じた空間にして光源を設置する構成、のいずれかを採用することが好ましい。以下、順に説明する。
【００３４】
（１）カロート５の左右の側部から自然光を導く光確保手段２０について
【００３５】
図４に示すように、光確保手段２０は、蓋石７よりも後方の位置において根石６に形成された開口部２１と、開口部２１に設けられた透光性部材２２と、を備えている。開口部２１は、段付きの貫通孔であり、根石６の外側面に形成された座ぐり穴部２４と、座ぐり穴部２４に連続して根石６の内側面に向かって延びる導光穴部２５と、で構成されている。座ぐり穴部２４は、導光穴部２５よりも大きな径で形成されている。座ぐり穴部２４には、透光性部材２２が導光穴部２５の外側を塞ぐように収容される。この収容状態では、透光性部材２２は、根石６の外側面から突出せず、接着剤などの固定手段によって座ぐり穴部２４の底部に固定される。このため、開口部２１からカロート５内部への雨、ほこり、砂などの浸入が透光性部材２２によって防止される。透光性部材２２は、自然光を透過する板状部材であり、その材質としては、例えば、ガラス又はプラスチックを用いることができるが、ガラスを用いた方がガラス製の蓋石７とのデザインの統一感が向上するので有利である。
【００３６】
このような光確保手段２０によると、自然光が、透光性部材２２及び導光穴部２５を通って、蓋石７の後側であるカロート５の内部に取り込まれる。これにより、蓋石７の後側に光がもたらされるので、カロート５の内部から蓋石７を透過させる光が確保される。したがって、墓石１の前に立つ人の目に対して、蓋石７の模様や色彩を明るく映しださせることができるので、蓋石７のガラス本来の良さを活かすことができる。
【００３７】
なお、座ぐり穴部２４を省略して、開口部２１に透光性部材２２を設けてもよい。
【００３８】
ここで、光確保手段２０を設ける位置は、特に限定されるものではないが、図４に示すように、根石６における後側部分よりも、根石６における前側部分（例えば、拝石１０の下側）に光確保手段２０を設けることが好ましい。また、図４に示すように、根石６における下側部分よりも、根石６における上側部分に光確保手段２０を設けることが好ましい。こうすることで、蓋石７の後側に効率良く自然光を導いて、蓋石７の模様や色彩が人の目により一層明るく映しだされるようにすることができる。
【００３９】
他の実施態様として、図５に示すように、根石６を上方から切り欠き、その切り欠いた部分に光確保手段２０を設けてもよい。この場合には、光確保手段２０の開口部２１は、段付き形状にしなくてよい。また、透光性部材２２は、開口部２１に収まるブロック状の部材とすればよい。もっとも、透光性部材２２の製造のし易さや、開口部２１への透光性部材２２の設置のし易さという観点では、図４に示す態様の方が好ましい。
【００４０】
別の実施態様として、図６に示すように、光確保手段２０を根石６における前側部分（例えば、拝石１０の下側）及び後側部分（例えば、天板１１の下側）の両方に設けてもよい。このように、光確保手段２０を複数箇所に設けることで、カロート５の内部から蓋石７を透過する光の量を増やすことができるため、蓋石７の模様や色彩が人の目により一層明るく映しだされるようにすることができる。
【００４１】
なお、光確保手段２０の数を複数にする場合、光確保手段２０を左右の根石６，６の両方に設けてもよい。また、開口部２１の大きさを調整できるように構成して、カロート５の内部から蓋石７を透過する光の量を調整できるようにしてもよい。
【００４２】
他の実施態様として、図７に示すように、光確保手段２０の開口部２１を、カロート５の内部に向かって末広がりとなるように形成してもよい。末広がりの仕方としては、上下方向であってもよいし、左右方向であってもよいし、径方向（上下左右の全方向）であってもよい。このような構成とすることで、自然光が光確保手段２０からカロート５の内部に向けて拡散するように取り込まれるため、カロート５の内部から蓋石７を透過する光の量を増やすことができる。なお、開口部２１の全体を末広がりとしてもよいし、開口部２１の内側の部分のみを末広がりとしてもよい。
【００４３】
別の図示省略した実施態様によれば、カロート５の内部へと入射する自然光が蓋石７に向かって指向されるように光確保手段２０を構成してもよい。そのような構成としては、例えば、図４に示す導光穴部２５の座ぐり穴部２４と反対側の開口端（すなわちカロート５内に向かって開口する開口端）が蓋石７側に向くように、導光穴部２５又は開口部２１を斜めに形成すればよい。こうすることで、カロート５の内部から蓋石７を透過する光の量を増やすことができる。
【００４４】
（２）カロート５の上部から自然光を導く光確保手段２０について
【００４５】
図８及び９に示すように、光確保手段２０は、蓋石７よりも後方の位置において拝石１０に形成された開口部３１と、開口部３１に設けられた透光性部材３２と、を備えている。開口部３１は、拝石１０の中央部を後側から切り欠いてなる。透光性部材３２は、この切り欠きとしての開口部３１を塞ぐように収まり、開口部３１の壁面に接着剤やシーリング剤などを介して固定されることで、開口部３１からカロート５内への雨、ほこり、砂などの浸入を防止している。透光性部材３２の材質は、上記の透光性部材２２の同じものを用いることができる。
【００４６】
ここで、透光性部材３２は、墓石１の前方から見たときに香炉１２によって隠れるように、香炉１２の後側に設けられている。すなわち、透光性部材３２の位置は、墓石１の正面からは香炉１２が壁となって、見えなくなっている。これにより、墓石１の前に来る人に拝石１０の明り取り（光確保手段２０）の存在を目立たせないようにすることができる。
【００４７】
このような光確保手段２０によれば、自然光が、透光性部材３２を通って、蓋石７の後側であるカロート５の内部に取り込まれる。これにより、蓋石７の後側に光がもたらされるので、カロート５の内部から蓋石７を透過させる光が確保される。したがって、墓石１の前に立つ人の目に蓋石７の模様や色彩を明るく映しださせることができるので、蓋石７が持つガラス本来の良さを活かすことができる。とりわけ、上方から自然光を取り込むため、墓地で墓石が密集配置される場合であっても、上記（１）のような横から自然光を取り込むタイプと比べて、確実に自然光を取り込むことができる。
【００４８】
そして、上記同様に、上から自然光を取り込むタイプの光確保手段２０についても、その設置位置及び個数は、特に限定されるものではない。例えば、図１０（ａ）に示すように、光確保手段２０を拝石１０の前側に設けてもよいし、図１０（ｂ）に示すように、光確保手段２０を拝石１０の後側の左右の角部にそれぞれ設けてもよいし、図１０（ｃ）に示すように、拝石１０の後側の左右の角部よりも内側の位置に二つの光確保手段２０を設けてもよいし、図１０（ｄ）に示すように、拝石１０の左右の側部に設けてもよい。
【００４９】
また、図１１に示すように、光確保手段２０の開口部３１を切欠きではなく、貫通穴として形成してもよい。その場合には、図１１（ａ）に示すように、開口部３１及び透光性部材３２を左右方向に延びる直線的なものとして形成してもよいし、図１１（ｂ）及び（ｃ）に示すように、光確保手段２０を複数設け、開口部３１及び透光性部材３２の横断面形状を方形にしたり、円形にしたりしてもよい。なお、図１１の場合についても、光確保手段２０を拝石１０の後側に形成することができる。図１０及び図１１に示す光確保手段２０のうち、蓋石７の後側に効率良く自然光を導く観点では図１０（ａ）及び図１１（ａ）の態様が好ましい。
【００５０】
さらに、図１２〜１４に示すように、光確保手段２０の開口部３１を、カロート５の内部に向かって末広がりとなるように形成してもよい。末広がりの仕方としては、前後方向であってもよいし、左右方向であってもよいし、径方向（上下左右の全方向）であってもよい。図１２（ａ）においては、下方にかけて左右方向にテーパー状に広がる貫通穴タイプの光確保手段２０が２つ示され、図１２（ｂ）においては、下方にかけて後方に広がる切欠きタイプの光確保手段２０が示されている。また、図１３においては、下方にかけて左右方向にテーパー状に広がる貫通穴タイプの光確保手段２０が１つ示され、図１４においては、下方にかけて径方向にテーパー状に広がる貫通穴タイプの光確保手段２０が２つ示されている。このような末広がりの構成とすることで、自然光が光確保手段２０からカロート５の内部に向けて拡散するように取り込まれるため、カロート５の内部から蓋石７を透過する光の量を増やすことができる。なお、開口部３１の全体を末広がりとしてもよいし、開口部３１の下側部分のみを末広がりとしてもよい。
【００５１】
また、別の実施態様によれば、図示省略したが、カロート５の内部に導光する自然光が蓋石７に向かって指向されるように光確保手段２０を構成してもよい。そのような構成として、例えば、開口部３１の下側開口端が蓋石７側に向くように、開口部３１を斜めに形成することが挙げられる。こうすることで、カロート５の内部から蓋石７を透過する光の量を増やすことができる。
【００５２】
（３）カロート５の内部は閉じた空間にして光源を設置する光確保手段２０について
【００５３】
図１５に示すように、カロート５の前部下部を構成する階段８は、左右の上部にＬＥＤ４０，４０を有している。ＬＥＤ４０、４０は、図示省略した電源から電力を供給されることで、カロート５の内部へと光を照射する。したがって、光確保手段２０は、ＬＥＤ４０及び電源で構成されている。ＬＥＤ４０、４０は、階段８の左右の上部を溝状に切り欠いて、その切り欠いた溝部４１，４１にそれぞれ埋め込まれている。ＬＥＤ４０，４０は、蓋石７の直下に位置するように設けられている。そのため、蓋石７の下側の小口にＬＥＤ４０からの光が当たるように照射される。電源は、ボタン電池や乾電池など適宜の電池を用いることができ、例えば、太陽光発電を利用したソーラーパネルを用いることもできる。
【００５４】
このような光確保手段２０によれば、ＬＥＤ４０からの光が、蓋石７の後面に沿って蓋石７の後側にもたらされる。これにより、カロート５の内部から蓋石７を透過させる光が確保される。したがって、墓石１の前に立つ人の目に対して、蓋石７の模様や色彩を明るく映しださせることができるので、蓋石７がもつガラス本来の良さを活かすことができる。また、このようなＬＥＤ光源を用いるタイプは、カロート５に明り取り（すなわち、上記（１）及び（２）における光確保手段２０）を設けたくないニーズがある場合に特に有用である。
【００５５】
なお、光確保手段２０のＬＥＤ４０の位置は、蓋石７の直下か又はそれよりも後方の位置である限り、特に限定されるものではない。ただし、上述のように、ＬＥＤ４０を蓋石７の直下に配置した方が、ＬＥＤ４０からの光が蓋石７の小口に当たり、蓋石７に対して間接照明のような効果を奏することができる。そのため、蓋石７の模様や色彩の見栄えをより良くすることができる。
【００５６】
また、光確保手段２０のＬＥＤ４０は、階段８に設けるのではなく、拝石１０に設けてもよい。この場合も、ＬＥＤ４０の位置は、蓋石７の直上か又はそれよりも後方の位置である限り、特に限定されるものではない。ＬＥＤ４０を拝石１０に設ける場合にも、上記同様に、拝石１０に溝を形成し、そこにＬＥＤ４０を埋め込めばよい。
【００５７】
また、他の実施態様では、階段８、拝石１０又は根石６の内面に光確保手段２０のＬＥＤ４０を設置してもよい。なお、ＬＥＤではなくて、白熱電球などの光源を用いることも可能であるが、製品寿命の長さからすれば、ＬＥＤを用いることが好ましい。
【００５８】
以上、具体例を参照しつつ本発明の実施形態について説明した。以上の具体例は、本発明を説明するための例示であり、本発明をその実施形態のみに限定する趣旨ではない。すなわち、これら具体例に、当業者が適宜設計変更を加えたものも、本発明の特徴を備えている限り、本発明の範囲に包含される。例えば、前述した各具体例が備える各要素およびその配置、材料、形状、サイズ、個数などは、例示したものに限定されるわけではなく適宜変更することができる。
【符号の説明】
【００５９】
１：墓石、  ５：カロート、  ６：根石、  ７：蓋石、  ８：階段、  １０：拝石、  １２：香炉、  ２０：光確保手段、  ２１：開口部、  ２２：透光性部材、  ３１：  開口部、  ３２：透光性部材、  ４０：ＬＥＤ
【図１】
2013253383.tif 000003
【図２】
2013253383.tif 000004
【図３】
2013253383.tif 000005
【図４】
2013253383.tif 000006
【図５】
2013253383.tif 000007
【図６】
2013253383.tif 000008
【図７】
2013253383.tif 000009
【図８】
2013253383.tif 000010
【図９】
2013253383.tif 000011
【図１０】
2013253383.tif 000012
【図１１】
2013253383.tif 000013
【図１２】
2013253383.tif 000014
【図１３】
2013253383.tif 000015
【図１４】
2013253383.tif 000016
【図１５】
2013253383.tif 000017
【図１６】
2013253383.tif 000018
【図１７】
2013253383.tif 000019